(57)【要約】【課題】テレビジョン受像機のコントロールボタンに破損が生じた場合、最小限のコストでコントロールボタンの修理を行なうこと。【解決手段】筐体１６を構成する前パネル２０の下辺にコントロールボタン２２が設けられている。コントロールボタン２２は、基部２２０２と、ユーザにより押圧操作される操作部２２０４とを備えている。コントロールボタン２２を修理する際に用いるサービスボタンユニット３０が用意される。サービスボタンユニット３０は、平坦面１６１０に固着される第１の固着部３００２と、平坦面１６１２に固着される第２の固着部３００４と、操作部２２０４とほぼ同一形状を呈するサービスボタン３００６とを備えている。サービスボタン３００６は、第１、第２の固着部３００２，３００４が平坦面１６１０，１６１２に固着されることで操作部２２０４とほぼ同じ箇所に位置する。【選択図】        図７
2004342514.tif 000002
【特許請求の範囲】
【請求項１】
画面表示部、前記画面表示部に映像などを映すための制御回路部などを有するテレビジョン本体と、前記テレビジョン本体を収容する筐体と、前記筐体に一体に設けられたコントロールボタンとを備え、前記コントロールボタンは、ユーザにより押圧操作されることで弾性変形し筐体内部に配設されたスイッチを開閉する操作部を備えたテレビジョン受像機において、
前記筐体の内部に固着される固着部と、前記固着部から突設され前記操作部とほぼ同形状で弾性変形可能なサービスボタンとを有し、前記固着部が筐体内部に固着されることで前記サービスボタンが前記操作部とほぼ同じ箇所に位置するサービスボタン部材を用意しておき、
前記コントロールボタンが破損した際に、前記固着部を筐体の内部に固着することで前記サービスボタンを前記操作部が位置した元の箇所に配置するようにした、
ことを特徴とするテレビジョン受像機のコントロールボタンの修理方法。
【請求項２】
画面表示部、前記画面表示部に映像などを映すための制御回路部などを有するテレビジョン本体と、前記テレビジョン本体を収容する筐体と、互いに並べられて前記筐体に一体に設けられた複数のコントロールボタンとを備え、前記各コントロールボタンは、ユーザにより押圧操作されることで弾性変形し筐体内部に配設されたスイッチを開閉する操作部を備えたテレビジョン受像機において、
前記筐体の内部に固着される固着部と、前記固着部から突設され前記複数のコントロールボタンの操作部とほぼ同形状で弾性変形可能な複数のサービスボタンとを有し、前記固着部が筐体内部に固着されることで前記複数のサービスボタンが前記複数のコントロールボタンの操作部とほぼ同じ箇所に位置するサービスボタンユニットを用意しておき、
前記コントロールボタンが一つ以上破損した際に、残りのコントロールボタンを全て取り除き、前記固着部を筐体の内部に固着することで前記複数のサービスボタンを各コントロールボタンの操作部が位置した元の箇所に配置するようにした、
ことを特徴とするテレビジョン受像機のコントロールボタンの修理方法。
【請求項３】
テレビジョン受像機の筐体に一体に設けられ、ユーザにより押圧操作されることで弾性変形し筐体内部に配設されたスイッチを開閉する操作部を有するコントロールボタンが破損した際に用いられるサービスボタン部材であって、
前記サービスボタン部材は、前記筐体の内部に固着される固着部と、前記固着部から突設され前記コントロールボタンの操作部とほぼ同形状で弾性変形可能なサービスボタンとを有し、
前記固着部が筐体内部に固着されることで前記サービスボタンが前記コントロールボタンの操作部とほぼ同じ箇所に位置するように構成されている、
ことを特徴とするサービスボタン部材。
【請求項４】
テレビジョン受像機の筐体に一体に設けられ、ユーザにより押圧操作されることで弾性変形し筐体内部に配設されたスイッチを開閉する操作部を有する複数のコントロールボタンのうちの少なくとも１つのコントロールボタンが破損した際に用いられるサービスボタンユニットであって、
前記サービスボタンユニットは、前記筐体の内部に固着される固着部と、前記固着部から突設され前記複数のコントロールボタンの操作部とほぼ同形状で弾性変形可能な複数のサービスボタンとを有し、
前記固着部が筐体内部に固着されることで前記各サービスボタンが前記各コントロールボタンの操作部とほぼ同じ箇所に位置するように構成されている、
ことを特徴とするサービスボタンユニット。
【発明の詳細な説明】
【０００１】
【発明の属する技術分野】
本発明はテレビジョン受像機のコントロールボタンの修理方法とこの修理に用いるサービスボタンに関する。
【０００２】
【従来の技術】
テレビジョン受像機は、一般に、画面表示部、前記画面表示部に映像などを映すための制御回路部などを含むテレビジョン本体と、テレビジョン本体を収容する筐体と、チャンネル切り換え用やボリューム調整用などの種々のコントロールボタンなどを備えている。
そして、従来では、筐体として合成樹脂が用いられており、チャンネル切り換え用やボリューム調整用などの種々のコントロールボタンは、筐体の成形時に筐体と一体に設けられている。（例えば、特許文献１参照）。
【０００３】
【特許文献１】
特開２００１−３０７５９４号公報
【０００４】
【発明が解決しようとする課題】
そのため、ユーザの長期使用環境下において、コントロールボタンに折れるなどの破損が生じた場合、筐体ごと交換しなければならず、部品のコストが高くつく不具合があった。
また、その交換部品が海外生産の場合、調達できるか否かの問題の他に輸送費が掛かる問題もあり、更なるコスト増の不具合があった。
本発明は前記事情に鑑み案出されたものであって、本発明の目的は、コントロールボタンに破損が生じた場合、最小限のコストでこのようなコントロールボタンの修理を行なえる方法と、この方法に用いるサービスボタンを提供することにある。
【０００５】
【課題を解決するための手段】
前記目的を達成するため本発明は、画面表示部、前記画面表示部に映像などを映すための制御回路部などを有するテレビジョン本体と、前記テレビジョン本体を収容する筐体と、前記筐体に一体に設けられたコントロールボタンとを備え、前記コントロールボタンは、ユーザにより押圧操作されることで弾性変形し筐体内部に配設されたスイッチを開閉する操作部を備えたテレビジョン受像機において、前記筐体の内部に固着される固着部と、前記固着部から突設され前記操作部とほぼ同形状で弾性変形可能なサービスボタンとを有し、前記固着部が筐体内部に固着されることで前記サービスボタンが前記操作部とほぼ同じ箇所に位置するサービスボタン部材を用意しておき、前記コントロールボタンが破損した際に、前記固着部を筐体の内部に固着することで前記サービスボタンを前記操作部が位置した元の箇所に配置するようにしたことを特徴とする。
また、本発明は、画面表示部、前記画面表示部に映像などを映すための制御回路部などを有するテレビジョン本体と、前記テレビジョン本体を収容する筐体と、互いに並べられて前記筐体に一体に設けられた複数のコントロールボタンとを備え、前記各コントロールボタンは、ユーザにより押圧操作されることで弾性変形し筐体内部に配設されたスイッチを開閉する操作部を備えたテレビジョン受像機において、前記筐体の内部に固着される固着部と、前記固着部から突設され前記複数のコントロールボタンの操作部とほぼ同形状で弾性変形可能な複数のサービスボタンとを有し、前記固着部が筐体内部に固着されることで前記複数のサービスボタンが前記複数のコントロールボタンの操作部とほぼ同じ箇所に位置するサービスボタンユニットを用意しておき、前記コントロールボタンが一つ以上破損した際に、残りのコントロールボタンを全て取り除き、前記固着部を筐体の内部に固着することで前記複数のサービスボタンを各コントロールボタンの操作部が位置した元の箇所に配置するようにしたことを特徴とする。
また、本発明は、テレビジョン受像機の筐体に一体に設けられ、ユーザにより押圧操作されることで弾性変形し筐体内部に配設されたスイッチを開閉する操作部を有するコントロールボタンが破損した際に用いられるサービスボタン部材であって、前記サービスボタン部材は、前記筐体の内部に固着される固着部と、前記固着部から突設され前記コントロールボタンの操作部とほぼ同形状で弾性変形可能なサービスボタンとを有し、前記固着部が筐体内部に固着されることで前記サービスボタンが前記コントロールボタンの操作部とほぼ同じ箇所に位置するように構成されていることを特徴とする。
また、本発明は、テレビジョン受像機の筐体に一体に設けられ、ユーザにより押圧操作されることで弾性変形し筐体内部に配設されたスイッチを開閉する操作部を有する複数のコントロールボタンのうちの少なくとも１つのコントロールボタンが破損した際に用いられるサービスボタンユニットであって、前記サービスボタンユニットは、前記筐体の内部に固着される固着部と、前記固着部から突設され前記複数のコントロールボタンの操作部とほぼ同形状で弾性変形可能な複数のサービスボタンとを有し、前記固着部が筐体内部に固着されることで前記各サービスボタンが前記各コントロールボタンの操作部とほぼ同じ箇所に位置するように構成されていることを特徴とする。
本発明によれば、コントロールボタンが破損した場合、従来のように筐体全体を交換する必要はなく、サービスボタン部材、あるいはサービスボタンユニットを用いることで破損したコントロールボタンのみの修理を行なえる。
【０００６】
【発明の実施の形態】
以下、本発明の実施の形態を図面を参照して説明する。
図１はテレビジョン受像機の正面図、図２はコントロールボタン部分の拡大正面図、図３はコントロールボタン部分の断面図を示す。
テレビジョン受像機１２は、画面表示部１４０２、画面表示部１４０２に映像などを映すための制御回路部などを含むＣＲＴ方式のテレビジョン本体１４と、テレビジョン本体１４が収容された筐体１６とを備えている。
筐体１６は、画面表示部１４０２の上下左右に延在する枠状の前パネル２０を含んで構成されている。
そして、前パネル２０の下辺箇所に、チャンネル切り換え用やボリューム調整用などの種々のコントロールボタン２２が配設されている。
筐体１６とコントロールボタン２２は共に合成樹脂製で、これら筐体１６およびコントロールボタン２２は型を用いて一体成形されている。
【０００７】
図３に示すように、コントロールボタン２２は、前パネル２０に連結された基部２２０２と、基部２２０２から起立しユーザにより押圧操作されることで弾性変形する操作部２２０４とを備え、操作部２２０４の周囲は、空間２２０５を介して前パネル２０から切り離されている。
本実施の形態では、操作部２２０４の表面に押圧部２２０４Ａが膨出形成され、操作部２２０４の裏面に円筒状に凸部２２０６が突出しており、ユーザが押圧部２２０４Ａを押圧操作すると、基部２２０２を支点として操作部２２０４が筐体１６の内部に倒れ、コントロールボタン２２の裏側に配設されたプリント基板２４上のタクトスイッチ２４０２を凸部２２０６が開閉作動するように構成されている。
また、本実施の形態では、各操作部２２０４の押圧部２２０４Ａを窓２６０２から露出させるようにして合成樹脂製の化粧銘板２６が前パネル２０の下辺に貼着されている。
【０００８】
次に、コントロールボタン２２を修理する際に用いるサービスボタンユニットについて説明する。
図４はサービスボタンユニットの斜視図を示す。
サービスボタンユニット３０は合成樹脂製で型により一体成形されており、筐体１６の内部で第１の平坦面１６１０（図３参照）に固着される第１の固着部３００２と、筐体１６の内部で第１の平坦面１６１０と交差する第２の平坦面１６１２（図３参照）に固着される第２の固着部３００４と、第２の固着部３００４から互いに間隔をおいて突設され全てのコントロールボタン２２の操作部２２０４に対応した複数のサービスボタン３００６とを備えている。
各サービスボタン３００６の表面には押圧部２２０４Ａとほぼ同一形状の押圧部３００８が設けられ、サービスボタン３００６の裏面には凸部２２０６とほぼ同一の形状の凸部３０１０が設けられ、各サービスボタン３００６は複数のコントロールボタン２２の操作部２２０４とほぼ同一の形状となるように形成されている。
各サービスボタン３００６は、第１、第２の固着部３００２，３００４が平坦面１６１０，１６１２に固着されることで全てのコントロールボタン２２の操作部２２０４とほぼ同じ箇所に位置するように構成されている。
【０００９】
次に、コントロールボタン２２が破損し、修理する場合について説明する。
図５は、一つのコントロールボタン２２が破損した状態の断面図、図６は一つのコントロールボタン２２が破損した状態の正面図で化粧銘板２６を取り除いた状態を示し、図７はサービスボタン３００６を取着した状態の断面図を示す。
図５、図６に示すように、ユーザの長期使用により、あるいは、何かが当たるなどすることで、一つのコントロールボタン２２が破損し、その基部２２０２のみが残存している。
本実施の形態では、まず、破損せずに残存している全てのコントロールボタン２２を取り除く。
次に、図７に示すように、第１の固着部３００２を、筐体１６の内部の第１の平坦面１６１０に、接着剤や両面テープなどを用いて固着すると共に、第２の固着部３００４を第２の平坦面１６１２に固着し、複数のサービスボタン３００６を、破損していない当初の全てのコントロールボタン２２の操作部２２０４とほぼ同じ箇所に位置させる。
そして、このようにサービスボタンユニット３０が配置され、ユーザがサービスボタン３００６を押圧操作すると、従来のコントロールボタン２２と同様に、凸部３０１０がスイッチ２４０２を開閉作動させ、例えば、チャンネルの切り換えやボリュームの調整がなされる。
【００１０】
本実施の形態によれば、コントロールボタン２２が破損した場合、従来のように筐体１６全体を交換する必要はなく、サービスボタンユニット３０を用いることでコントロールボタン２２のみの修理を行なえ、修理の際の部品コストを大幅に低減する上で極めて有利となる。
また、その筐体１６が海外で生産されている場合であっても、上述のようにコントロールボタン２２のみの修理を行なえるので、調達や輸送費などの問題も解消することができる。
また、多くの場合、コントロールボタン２２はＣＲＴの前部の下方に位置しており、コントロールボタン２２が破損した場合、筐体１６の前部底面の開放空間から、重量大であるＣＲＴの入れ替えを行なうことなくサービスボタンユニット３０を配設し、固着することができる。したがって、作業員による作業を簡単化でき、人件費のコストを削減する上でも極めて有利となる。
また、本実施の形態では、各操作部２２０４の押圧部２２０４Ａを窓２６０２から露出させるようにして合成樹脂製の化粧銘板２６が前パネル２０の下辺に貼着されているので、残存しているコントロールボタン２２の基部２２０２は外部から視認できず、したがって、サービスボタンユニット３０で修理したにも拘わらず外観性に優れたものとなる。
【００１１】
なお、上記の実施の形態では、第１の固着部３００２と第２の固着部３００４との２つ固着部を備える場合について説明したが、固着部は１つであってもよい。
また、固着部を筐体に固着する構造は、接着剤や両面テープなどを用いた接着の他に、ねじで締結したり、あるいはボス部を予め筐体に設けておき、このボス部を固着部の孔に嵌合することで固定するなど、種々の方法が適用される。
また、上記の実施の形態では、コントロールボタンが複数設けられたテレビジョン受像機について説明したが、１つのコントロールボタンを有する場合にも本発明は無論適用される。
この場合には、筐体の内部に固着される固着部と、前記固着部から突設されコントロールボタンの操作部とほぼ同形状で弾性変形可能なサービスボタンを有し、前記固着部が筐体内部に固着されることで前記サービスボタンが前記操作部とほぼ同じ箇所に位置するサービスボタン部材を用意しておく。そして、前記コントロールボタンが破損した際に、前記固着部を筐体の内部に固着することで前記サービスボタンを前記操作部が位置した元の箇所に配置すればよい。
【００１２】
【発明の効果】
以上説明したように本発明によれば、コントロールボタンに破損が生じた場合、最小限のコストでその修理を行なうことが可能となる。
【図面の簡単な説明】
【図１】テレビジョン受像機の正面図である。
【図２】コントロールボタン部分の拡大正面図である。
【図３】コントロールボタン部分の断面図である。
【図４】サービスボタンユニットの斜視図である。
【図５】コントロールボタンが破損した状態の断面図である。
【図６】コントロールボタンが破損した状態の正面図である。
【図７】サービスボタンを取着した状態の断面図である。
【符号の説明】
１２……テレビジョン受像機、１４……テレビジョン本体、１６……筐体、２２……コントロールボタン、３０……サービスボタンユニット、３００６……サービスボタン。
【図１】
2004342514.tif 000003
【図２】
2004342514.tif 000004
【図３】
2004342514.tif 000005
【図４】
2004342514.tif 000006
【図５】
2004342514.tif 000007
【図６】
2004342514.tif 000008
【図７】
2004342514.tif 000009